(57)【要約】【課題】テールシールに付着する裏込め材やセメントによって打継目に凹凸が発生すること防ぐコンクリートの打設方法を提供する。【解決手段】シールド掘進機によって掘削された空洞内にトンネルコンクリートを打設する方法において内型枠７と、妻型枠８と、前記内型枠７と前記妻型枠８との隙間を止水するワイヤーブラシ２と、前記ワイヤーブラシ２の外側に摺動材１３の層を備えた反転防止板３と、で囲まれた空間をトンネル内周に形成し、当該空間にトンネルコンクリートを打設した際に前記反転防止板３によってコンクリートが堰き止められることを特徴とする。【選択図】図１
2015161097.tif 000002
【特許請求の範囲】
【請求項１】
シールド掘進機によって掘削された空洞内にトンネルコンクリートを打設する方法であって、
内型枠と、妻型枠と、
前記内型枠と前記妻型枠との隙間を止水するワイヤーブラシと、
前記ワイヤーブラシの外側に摺動材の層を備えた反転防止板とで囲まれた空間をトンネル内周内に形成し、当該空間にトンネルコンクリートを打設した際に前記反転防止板によってコンクリートを堰き止めることを特徴とするトンネルコンクリート打設方法。
【請求項２】
前記摺動材がフッ素樹脂である請求項１に記載のトンネルコンクリート打設方法。
【発明の詳細な説明】
【技術分野】
【０００１】
本発明は、シールド掘進機において、シールド掘進機の内部に裏込め材やセメントが流入することを防ぐようにしたシールド掘進機の裏込材流入防止装置を用いたトンネルコンクリートの打設方法に関するものである。
【背景技術】
【０００２】
従来、図４（ａ）（ｂ）に示すように、シールド掘進機を構成するシールドフレームの後端部のテールプレートには、テールプレートとセグメントの間をシールするためのテールシールが設けられている。テールプレートには、多数本のワイヤーを断面略コ字状の取付金具で縛束して短冊状に成型されたワイヤーブラシが、周方向に整列して設けられている。ワイヤーブラシの内側には一端が取付金具で狭持されて他端がワイヤーブラシの先端部に至る反転防止板が設けられている。このように構成されたテールシールは、セグメント壁の外周面に先端部を接触させてテールプレートとセグメント壁との間をシールすることになっている（先行文献１）。また、図５に示すように、内型枠を用いるＥＣＬ工法（Excluded Concrete Lining）による覆工方法を採用したトンネル掘削機においては、妻型枠には金属製のワイヤーブラシが装着され、内型枠の外周面にその先端部を接触させて内型枠との間をシールさせることになっている（先行文献２）。
【先行技術文献】
【特許文献】
【０００３】
【特許文献１】特開２００５−０６８９０５
【特許文献２】特開２００５−１８８０９９
【発明の概要】
【発明が解決しようとする課題】
【０００４】
図４（ａ）（ｂ）に示す反転防止板１０３はワイヤーブラシ１０２の腰折れと反転防止の目的でワイヤーブラシ１０２の内側に取付けられているが、ワイヤーブラシ１０２の表面に裏込め注入材が付着することになる。工事経過とともに多量の裏込め注入材が固化し付着することになる。また掘進によってテールシールが移動すると、境界面には、でこぼこした凹凸が生じるという問題が発生する（先行文献１）。
図５に示す場合においては、ワイヤーブラシ１０２が上記と同様にコンクリート１１２の流入を防ぐことできるが、長い間には固化されたセメント１１２がワイヤーブラシ１０２に付着することになり取り除くことが難しくなる。そのためセメント打継面（境界面）に凹凸が生じるという課題が発生する（先行文献２）
【課題を解決するための手段】
【０００５】
このような観点から、本発明の目的とするところは、裏込め材や打設されたセメントがテールシールに付着しないこと、打継面（境界面）にでこぼこした凹凸を発生させないこと、反転防止板表面のケレン作業性が容易に行えることを目的とする。またシールド掘進機の内部に裏込め材やセメントが流入しないテールシールを提供することである。さらにはコンクリートの打設方法を提供することである。
【０００６】
前記課題を解決するために、シールド掘進機によって掘削された空洞内にトンネルコンクリートを打設する方法において内型枠と、妻型枠と、前記内型枠と前記妻型枠との隙間を止水するワイヤーブラシと、前記ワイヤーブラシの外側に摺動材の層を備えた反転防止板と、で囲まれた空間をトンネル内周に形成し、当該空間にトンネルコンクリートを打設した際に前記反転防止板によってコンクリートが堰き止められることを特徴とする。
さらには、摺動材がフッ素樹脂であることを特徴とする。
【発明の効果】
【０００７】
本発明のテールシールの構造によれば、裏込め材やセメントがワイヤーブラシに付着しないこと、打継面にでこぼこした凹凸が発生しないこと、テールシールの反転防止板の表面をケレンする作業性が容易になること、打継目に生じるクラックを防止することが可能となる。
【図面の簡単な説明】
【０００８】
【図１】本発明のテールシールを説明する図である。
【図２】本発明のテールシールを説明する図である。
【図３】本発明のテールシールを説明する図である。
【図４】従来のテールシールを説明する図である。
【図５】従来のテールシールを説明する図である。
【発明を実施するための形態】
【０００９】
前記課題を解決するために、以下本発明の実施形態について添付図面を参照して詳細に説明する。
【００１０】
図１に示すように、セグメントを組み立ててトンネルを構築するシールド掘進機のテールプレート１には、ワイヤーブラシ２と反転防止板３から構成されるテールシール４が取り付けられる。テールシール４はリング状に複数設けられることにより裏込め材１１の流入を防ぐことができる。
【００１１】
反転防止板３の表面には潤滑性の良い摺動材１３を塗布させる。またはテープ状の摺動材１３を反転防止板３に貼りつけることにより層を設けても良い。
摺動材１３としては、フッ素樹脂を用いることが好ましい。フッ素樹脂は、裏込め材１１やセメント１２に対して付着しない特性があり、かつ摺動性を備え持つ。図１に示すように、工場で作成される一組のテールシール４は、ワイヤーブラシ２を挟むこむ反転防止板３の表面に摺動材１３が塗布される。摺動材１３としてはフッ素樹脂が好ましい。一様の層になるよう塗布されるが、テフロン (登録商標)粘着テープを反転防止板３に対して板面を覆う様に貼りつけることで層にしても良い。
【００１２】
シールド掘進機が組み立てられる際にテールプレート１に、コ字状の取付金具５で縛束して短冊状に成型されたワイヤーブラシ２と反転防止板３が一組となったテールシール４を、周方向に整列して取り付けられる。
隙間なく整列して取り付けられることにより、反転防止板３に塗布された摺動材１３、または粘着テープで貼られた摺動材１３は、シールド掘進機の外部側に向かって周方向に連続に取り付けられることになる。外側に向けられることで裏込め材１１やセメント１２に直面することになる。
【００１３】
図２に示すように、シールド掘削機が前進する（図２において左側へ）と同時にテールシール４が移動し、打継面（境界面）１０が形成される。摺動材１３によって打継面１０は滑らかで一様な面を形成させることができる。また、反転防止板３の表面には付着物が付かず清掃のためのケレン作業が簡単になる。
【００１４】
このようなテールシール５が取付けられたシールド掘進機を掘進させセグメントを組み立てた後、裏込め注入を行うことになる。その際、テールシール５はシールド掘進機内部へ入り込もうとする裏込め材１１に対して反転防止板３が堰となって流入を止めることができる。以降同様に上記の作業を繰り返し行いながらトンネルを構築していく。
【００１５】
次に図３に示すようなＳＥＮＳ工法（シールド掘進機を用いた場所打ち支保システム）における内型枠７を使ったコンクリート打設について説明する。
【００１６】
妻型枠８には、内型枠７と妻型枠８との隙間を止水するために金属製のワイヤーブラシ２に反転防止金具３が備わったテールシール４が装着される。シールド掘進機が掘削によって前進すると、内型枠７と妻型枠８と前記テールシール４とで囲まれた空間が形成される。ワイヤーブラシ２と反転防止板３からなるテールシール４は、内型枠７の外周面にその先端部を接触させて内型枠７との間をシールさせることになっている。コンクリートを打設すると反転防止板３が妻板の役目となり、図２と同様に堰となってコンクリートの流入を防ぐことができる。
【００１７】
コンクリート打設後、シールド掘削機が前進する（図３において左側へ移動）と同時に内型枠７が延設され組み立てられる。妻型枠８をジャッキ９によって前進移動（図３において左側移動）させると、打継面（境界面）１０が形成されることになる。反転防止板３に摺動材１３が備わっていることにより、打継目（境界面）１０の面は、でこぼこな凹凸とならず平滑な面となる。
【００１８】
また、反転防止板３の表面には摺動材１３の層があるため付着物が付かず清掃のためのケレン作業が簡単になる。
【００１９】
以降同様に上記の作業を繰り返し行いながらトンネルを構築していく。
【００２０】
以上、本発明の実施形態について説明したが、本発明は前述の実施形態に限らず、前記の各構成要素については、本発明の趣旨を逸脱しない範囲で、適時変更が可能である。
【符号の説明】
【００２１】
１  テールプレート
２  ワイヤーブラシ
３  反転防止板
４  テールシール
５  取付金具
６  セグメント
７  内型枠
８  妻型枠
９  ジャッキ
１０  打継目（境界面）
１１  裏込め材
１２  セメント
１３  塗布された摺動材（または、テープ）
１０１  テールプレート
１０２  ワイヤーブラシ
１０３  反転防止板
１０４  テールシール
１０５  取付金具
１０６  セグメント
１０８  妻型枠
１０９  ジャッキ
【図１】
2015161097.tif 000003
【図２】
2015161097.tif 000004
【図３】
2015161097.tif 000005
【図４】
2015161097.tif 000006
【図５】
2015161097.tif 000007